(57)【要約】【課題】番組ガイド表としてのＧＵＩの操作性を向上させる。【解決手段】カーソルＣＲが番組タイトル領域Ｘ３における最上行に位置し、かつ、上キーによるカーソル移動のための操作が行われた場合のみ、カーソルＣＲを機能操作エリアＡ３に移動させて、アクティブとするように構成する。これにより、本来は、番組タイトル領域Ｘ３においてカーソル移動をさせるために割与えられた上下左右キーに対する操作で以て、番組タイトル領域Ｘ３から機能操作エリアＡ３に対してカーソルＣＲを移動させることが可能となる。【選択図】　　　　図５
2004070408.tif 000002
【特許請求の範囲】
【請求項１】
少なくとも、第１の操作対象領域と、該第１の操作対象領域とは異なる位置に配置される第２の操作対象領域とから成ると共に、所要の操作対象領域内にカーソルが配置表示されるユーザインターフェイス画像を形成するユーザインターフェイス画像形成手段と、
操作情報として少なくとも、所定の１方向に上記カーソルを移動させるための操作子に対して行われた操作に応じたカーソル移動操作情報を入力可能な入力手段と、
上記入力手段が入力したカーソル移動操作情報に応じて、上記第１の操作対象領域内におけるカーソルが所要の位置に移動するように制御すると共に、上記カーソルが第１の操作対象領域内における特定領域に位置しているときに、上記入力手段が、特定の１方向に対するカーソル移動のための操作情報を入力した場合には、上記カーソルが、上記第２の操作対象領域内の所定領域に位置するようにして移動するように、上記ユーザインターフェイス画像形成手段を制御する制御手段と、
を備えていることを特徴とする入力処理装置。
【請求項２】
上記制御手段は、
上記第２の操作対象領域内の所定領域に上記カーソルが位置している状態において、上記入力手段により、所定の操作子に対する操作に応じた操作情報を入力したのに応じて、上記第１の操作対象領域における表示内容が変更されるように、ユーザインターフェイス画像形成手段を制御可能とされている、
ことを特徴とする請求項１に記載の入力処理装置。
【請求項３】
上記制御手段は、
上記第２の操作対象領域内の所定領域に上記カーソルが位置している状態において、上記入力手段により、所定の操作子に対する操作に応じた操作情報を入力したのに応じて、上記第２の操作対象領域から、上記第１の操作対象領域とは異なる位置に配置される第３の操作対象領域内に対してカーソルが移動して配置されるように、ユーザインターフェイス画像形成手段を制御可能とされている、
ことを特徴とする請求項１に記載の入力処理装置。
【請求項４】
上記入力手段が入力するカーソル移動操作情報は、上下左右の何れかの１方向に対してカーソルを移動させるための操作子に対して行われた操作に応じた操作情報であること、
を特徴とする請求項１に記載の入力処理装置。
【請求項５】
上記ユーザインターフェイス画像形成手段は、
上記第２の操作対象領域内において、上記第１の操作対象領域から上記第２の操作対象領域にカーソルを移動させるための上記特定の１方向と同方向のカーソル移動操作が可能なカーソル移動操作対象領域を形成するようにされていると共に、
上記制御手段は、
上記カーソル移動操作対象領域に対する操作に応じ領域操作情報が上記入力手段により入力された場合には、
上記カーソルの移動に代えて、この領域操作情報が指定する方向に従ってカーソルを移動させたのと同等の表示態様の変化が、上記第１の操作対象領域にて得られるように制御する、
ことを特徴とする請求項１に記載の入力処理装置。
【請求項６】
上記ユーザインターフェイス画像形成手段は、
番組ガイド表とされるユーザインターフェイス画像として、上記第１の操作対象領域については、番組タイトルが示される複数の番組タイトル領域を互いに隣接して配置させるようにして形成し、
上記制御手段は、上記第１の操作対象領域内に上記カーソルが位置している場合には、カーソル移動のための操作情報に応じて、上記各番組タイトル領域間で上記カーソルを移動可能に構成される、
ことを特徴とする請求項１に記載の入力処理装置。
【請求項７】
少なくとも、第１の操作対象領域と、該第１の操作対象領域とは異なる位置に配置される第２の操作対象領域とから成ると共に、カーソルが配置表示されるユーザインターフェイス画像を形成するユーザインターフェイス画像形成処理と、
操作情報として少なくとも、所定の１方向に上記カーソルを移動させるための操作子に対して行われた操作に応じたカーソル移動操作情報を入力可能な入力処理と、
上記入力処理により入力したカーソル移動操作情報に応じて、上記第１の操作対象領域内におけるカーソルが所要の位置に移動するように制御すると共に、上記カーソルが第１の操作対象領域内における特定領域に位置しているときに、上記入力処理により、特定の１方向に対するカーソル移動のための操作情報を入力した場合には、上記ユーザインターフェイス画像形成処理によって、上記カーソルが上記第２の操作対象領域内の所定領域に位置するようにして移動されるように制御する制御処理と、
を実行するように構成されることを特徴とする入力処理方法。
【請求項８】
少なくとも、第１の操作対象領域と、該第１の操作対象領域とは異なる位置に配置される第２の操作対象領域とから成ると共に、カーソルが配置表示されるユーザインターフェイス画像を形成するユーザインターフェイス画像形成処理と、
操作情報として少なくとも、所定の１方向に上記カーソルを移動させるための操作子に対して行われた操作に応じたカーソル移動操作情報を入力可能な入力処理と、
上記入力処理により入力したカーソル移動操作情報に応じて、上記第１の操作対象領域内におけるカーソルが所要の位置に移動するように制御すると共に、上記カーソルが第１の操作対象領域内における特定領域に位置しているときに、上記入力処理により、特定の１方向に対するカーソル移動のための操作情報を入力した場合には、上記ユーザインターフェイス画像形成処理によって、上記カーソルが上記第２の操作対象領域内の所定領域に位置するようにして移動されるように制御する制御処理と、
を入力処理装置に実行させることを特徴とするプログラム。
【発明の詳細な説明】
【０００１】
【発明の属する技術分野】
本発明は、ユーザ操作に応じた操作情報を入力するのに応じて所要の処理を実行する入力処理装置及び入力処理方法に関するものである。また、このような入力処理装置が実行すべきプログラムに関するものである。
【０００２】
【従来の技術】
放送衛星や通信衛星等の衛星によって、テレビジョン信号をデジタル信号化して伝送し、例えば各家庭においてこの放送信号を受信して視聴する、デジタル衛星放送システムが普及してきている。このような放送システムにおいては、例えば１５０近くあるチャンネルを確保することが可能であるため、例えばこれまでの地上波による放送と比較しても、非常に多くの番組を放送することができる。
【０００３】
そこで、デジタル衛星放送システムでは、多くの番組のなかから所望の番組を確実に選択できるようにするために、放送番組についての情報である、電子番組ガイド（ＥＰＧ：Ｅｌｅｃｔｒｉｃａｌ　Ｐｒｏｇｒａｍ　Ｇｕｉｄｅ）　の情報を伝送するようにしている。デジタル衛星放送受信装置側では電子番組ガイドのデータに基づいて番組ガイド表を作成して表示出力可能に構成されている。この番組ガイド表は、ＧＵＩ（Ｇｒａｐｈｉｃａｌ　Ｕｓｅｒ　Ｉｎｔｅｒｆａｃｅ）として構成されており、例えばユーザは、この番組ガイド表に対する操作を行うことで所望の番組を選択することなどができるようになっている。
【０００４】
図１４は、上記番組ガイド表の表示態様例を簡略化して示している。
この図に示す番組ガイド表をＹ軸（縦軸）方向に沿ってみた場合には、放送日時を示す時間領域、及びチャンネルごとの放送番組が表示される番組表示領域に区分されている。
また、この番組ガイド表をＸ軸（横軸）方向に沿ってみた場合には、左から放送チャンネルを英数字により示すチャンネル領域、及び各チャンネルごとにその放送時間帯に応じて区分されたタイトルバーにより番組タイトルが示される番組タイトル領域に区分されている。つまり、この図に示す番組ガイド表では、Ｘ軸方向が主として時間軸に沿っており、Ｙ軸方向は主として放送チャンネルごとに番組が区分されていることになる。
【０００５】
このような番組ガイド表を利用して、例えばユーザが所望の番組を選択して視聴するためには、例えばタイトルバーごとに配置されるカーソルＣＲを上下左右方向に任意に移動させ、所望の番組を示すタイトルバーにカーソルが配置された状態で選局の決定操作を行うようにされる。なお、カーソルを上下左右方向に移動させるには、例えばデジタル衛星放送受信機に付属するリモートコントローラの操作パネル上において、カーソル移動のために用意された上キー、下キー、左キー、右キーなどのキーを操作するようにして行われる。また、カーソル移動操作により選択した項目の決定などをはじめとする、各種決定操作については、上記上下左右キーと共に配置される決定キーを操作するようにされる。
【０００６】
そして、例えばカーソルＣＲがタイトルバー領域の最上行又は最下行のタイトルバーに配置された状態で、さらに、上キー、又は下キーを操作した場合には、チャンネル領域及びタイトルバー領域が上から下方向又は下から上方向に沿ってスクロールされるようにして、他のチャンネルのタイトルバーが表示されるようになっている。
また、カーソルＣＲがタイトルバー領域の最左端又は最右端のタイトルバーに配置された状態で、さらに、左キー、又は右キーを操作した場合には、チャンネル領域及びタイトルバー領域が右方向又は左方向に沿ってスクロールされるようにして、前後の時間帯に対応したタイトルバーが表示されるようになっている。つまり、タイトルバー領域に表示されていないチャンネル又は時間帯の番組を閲覧したいときには、カーソル移動操作によって画面をスクロールさせることで行うようにされている。
【０００７】
【発明が解決しようとする課題】
しかしながら、上記した番組閲覧のための操作によると、例えば、現在表示中にある日時から相当に離れた日時の番組を閲覧しようとするときには、左キー又は右キー操作によって、横方向におけるタイトルバー領域のスクロールを比較的長時間行わなければならない。同様にして、現在表示中のチャンネル番号から離れた番号のチャンネルを参照したいときにも、上キー又は左キーによって比較的長時間のスクロール操作を行わねばならない。
つまり、現状の番組ガイド表に対する操作の仕様では、迅速に所望の番組の情報を参照することができない場合があるという不都合を抱えている。
【０００８】
このための解決策として、１つには、チャンネル番号や日時などを指定して、その指定されたチャンネルにジャンプするようにしてタイトルバー領域の表示を切り換える可能な機能操作領域を、上記番組ガイド表とは別の配置領域、若しくは別ウィンドウの領域として設けることが考えられる。
そして、ユーザが必要に応じて、この機能操作領域に対してカーソルを移動させてアクティブとしたうえで、所要の操作を行うことで、上記したようなジャンプ操作を行えるようにする。
【０００９】
しかしながら、先の説明によると、上下左右キーによるカーソル移動操作は、タイトルバー領域上のタイトルバー選択のために占有されている仕様となっている。つまり、上下左右キーによるカーソル移動によっては、タイトルバー領域上のタイトルバーの間でしかカーソル移動させることができない。従って、仮に上記したようなジャンプ操作などのための機能操作領域を追加して設けたとしても、上下左右キーの操作によっては、この機能操作領域にカーソルを移動させることができないことになる。
【００１０】
例えばパーソナルコンピュータなどのＧＵＩ画面上では、マウス操作に応じてマウスカーソルを移動させることができるようになっている。このマウスカーソルに関しては、原則としてマウス操作に応じて、ＧＵＩ画面上の任意の位置に配置させることができるので、上記したような問題は生じない。
しかしながら、番組ガイド表に対するカーソル移動操作のための上下左右キーは、前述もしたように、一般にはデジタル衛星放送受信機に付属するリモートコントローラに設けられているものである。このようなリモートコントローラには、マウスと同等の機能を有するような操作子が設けられない場合が多い。従って、このようなリモートコントローラを前提とした場合には、カーソル移動操作のための操作子は、必然的に上下左右キーに限定されることになり、上記したような問題が避けられないこととなる。
【００１１】
そこで、例えば、上記した機能操作領域にカーソルをジャンプさせるための操作子をリモートコントローラに追加することも考えられるが、この場合には、さほど広くはないリモートコントローラ上の操作パネル上に配置される操作子が増加することになる。これでは、かえって操作を複雑にして操作性を妨げることにもなってしまい、好ましくない。
【００１２】
【課題を解決するための手段】
そこで本発明は上記した課題を考慮して、少なくとも、第１の操作対象領域と、この第１の操作対象領域とは異なる位置に配置される第２の操作対象領域とから成ると共に、所要の操作対象領域内にカーソルが配置表示されるユーザインターフェイス画像を形成するユーザインターフェイス画像形成手段と、操作情報として少なくとも、所定の１方向にカーソルを移動させるための操作子に対して行われた操作に応じたカーソル移動操作情報を入力可能な入力手段と、この入力手段が入力したカーソル移動操作情報に応じて、第１の操作対象領域内におけるカーソルが所要の位置に移動するように制御すると共に、カーソルが第１の操作対象領域内における特定領域に位置しているときに、入力手段が、特定の１方向に対するカーソル移動のための操作情報を入力した場合には、カーソルが、第２の操作対象領域内の所定領域に位置するようにして移動するようにユーザインターフェイス画像形成手段を制御する制御手段とを備えて入力処理装置を構成することとした。
【００１３】
また、入力処理方法としては次のように構成することとした。
つまり、少なくとも、第１の操作対象領域と、この第１の操作対象領域とは異なる位置に配置される第２の操作対象領域とから成ると共に、カーソルが配置表示されるユーザインターフェイス画像を形成するユーザインターフェイス画像形成処理と、操作情報として少なくとも、所定の１方向に上記カーソルを移動させるための操作子に対して行われた操作に応じたカーソル移動操作情報を入力可能な入力処理と、この入力処理により入力したカーソル移動操作情報に応じて、第１の操作対象領域内におけるカーソルが所要の位置に移動するように制御すると共に、カーソルが第１の操作対象領域内における特定領域に位置しているときに、入力処理により、特定の１方向に対するカーソル移動のための操作情報を入力した場合には、ユーザインターフェイス画像形成処理によって、カーソルが第２の操作対象領域内の所定領域に位置するようにして移動されるように制御する制御処理とを実行するように構成することとした。
【００１４】
また、プログラムとしては、次のように構成することとした。
つまり、少なくとも、第１の操作対象領域と、この第１の操作対象領域とは異なる位置に配置される第２の操作対象領域とから成ると共に、カーソルが配置表示されるユーザインターフェイス画像を形成するユーザインターフェイス画像形成処理と、操作情報として少なくとも、所定の１方向に上記カーソルを移動させるための操作子に対して行われた操作に応じたカーソル移動操作情報を入力可能な入力処理と、この入力処理により入力したカーソル移動操作情報に応じて、第１の操作対象領域内におけるカーソルが所要の位置に移動するように制御すると共に、カーソルが第１の操作対象領域内における特定領域に位置しているときに、入力処理により、特定の１方向に対するカーソル移動のための操作情報を入力した場合には、ユーザインターフェイス画像形成処理によって、カーソルが第２の操作対象領域内の所定領域に位置するようにして移動されるように制御する制御処理とを入力処理装置に実行させるように構成することとした。
【００１５】
上記各構成によれば、カーソル移動は、所定の１方向への移動を指示するカーソル移動操作に応じて行われる。そのうえで、カーソルが第１の操作対象領域内における特定領域内に位置しているとされる状態で、さらに特定の１方向に対するカーソル移動のための操作が行われた場合おいてのみ、カーソルを第２の操作対象領域に移動させるようにしている。
つまり本発明によっては、ＧＵＩ画像上においてカーソルが第１の操作対象領域内における特定領域内に位置しており、かつ、特定の１方向へのカーソル移動操作が行われたという一定条件が得られてさえいれば、ユーザによるカーソル移動操作に応じて、第１の操作対象領域から第２の操作対象領域に対してカーソルを移動させることが可能となる。
【００１６】
【発明の実施の形態】
以下、本発明の実施の形態について説明する。なお、本実施の形態としての入力処理装置は、デジタル衛星放送受信機に備えられているものとされる。また、以降の説明は次の順序で行うこととする。
１．デジタル衛星放送受信機
２．リモートコントローラ
３．番組ガイド表
４．機能操作エリアを使用するための操作手順
５．処理動作
【００１７】
１．デジタル衛星放送受信機
図１は、本発明の実施の形態としてのデジタル衛星放送受信機１についての要部の構成例を示している。
例えばここでは図示しない通信衛星又は放送衛星から送信された放送波は、パラボラアンテナ３０により受信され、デジタル衛星放送受信装置１のチューナ部２に供給される。この放送波には規定のフォーマットにしたがって番組ガイド情報のデータ（以降、ＥＰＧ（Ｅｌｅｃｔｒｏｎｉｃ　Ｐｒｏｇｒａｍ　Ｇｕｉｄｅ）　データという）が重畳されている。
なお、上記放送波としては、デジタル衛星放送波の他に有線放送波や地上波などの何れとされても構わない。また、受信した放送波がアナログ信号又はデジタル信号の何れとされるかによって、チューナ２部及び以降説明する各機能回路部の内部構成は適宜変更されることになる。
【００１８】
チューナ部２は、システムコントローラ８の制御に従って選局処理を行い、選局して得られたチャンネルに対応するストリームデータを得る。この場合、チューナ部２から出力されたストリームデータは、番組情報抽出部３に供給される。なお、チューナ部２から出力されるストリームデータには、受信チャンネルの番組内容としての映像／音声情報の他、ＥＰＧデータなどの付加情報も多重化されている。
【００１９】
番組情報抽出部３は、入力されたストリームデータからＥＰＧデータを抽出し、システムコントローラ８に転送する。
システムコントローラ８では、転送されたＥＰＧデータに基づいて、例えばＲＡＭ１０を作業領域として使用し、番組ガイド表としての管面表示用データ（画像データ）を生成可能とされている。番組ガイド表は、番組閲覧、選択などのためのＧＵＩ画像として機能する。なお、本実施の形態における番組ガイド表の具体的な表示形態例については後述する。
【００２０】
システムコントローラ８の処理によって生成された管面表示用データは、管面表示信号作成処理部７に供給される。管面表示信号作成処理部７は、システムコントローラ８から供給された管面表示用データをもとに、表示用画像信号を作成して合成処理部５に供給するようにされている。
【００２１】
また、番組情報抽出部３では、番組情報を抽出したストリームデータから、さらに、番組内容としての映像信号データ及び音声信号データを抽出する。そして、映像信号データを映像信号処理部４に対して出力し、音声信号データを音声信号処理部６に対して出力する。
デジタル衛星放送システムにおいて、放送として送信される映像／音声信号データは、例えばＭＰＥＧ２方式により圧縮符号化されている。
そこで、映像信号処理部４は、番組情報抽出部３から入力された映像信号データについて上記ＭＰＥＧ２方式に対応した復調処理等をはじめとする所要の信号処理を施した映像信号を得る。そして、この映像信号を合成処理部５に出力する。
【００２２】
合成処理部５は、映像信号処理部４から出力された映像信号と管面表示信号作成処理部７から出力された画像信号を合成し、その合成した信号を映像出力として、モニタ装置（テレビジョン受像機）４１に出力するようにされている。このとき管面表示信号作成処理部７から入力された画像信号が、番組ガイド表としてのものであれば、モニタ装置４１には、現在受信中の番組画像に重畳されるようにして、番組ガイド表が表示されることになる。
【００２３】
音声信号再生処理部６は、番組情報抽出部５から供給された音声信号データについて、例えばＭＰＥＧ２方式に対応した復調処理をはじめとする所要の信号処理を施すことによって、ここでは最終的にアナログの音声信号を得るようにされている。また、音声信号再生処理部６においては、先に説明した映像信号処理部４から出力される映像信号の出力タイミングに同期した音声信号を得るようにされている。そして、この音声信号をスピーカ４２に出力する。
【００２４】
システムコントローラ８は、例えばＣＰＵ（Ｃｅｎｔｒａｌ　Ｐｒｏｃｅｓｓｉｎｇ　Ｕｎｉｔ）を備え、当該デジタル衛星放送受信機１についての動作制御を実行する。
この場合、システムコントローラ８に対しては、ＲＯＭ９及びＲＡＭ１０が備えられる。ＲＯＭ９には、システムコントローラ８が各種動作機能を実現するために実行すべきプログラムが記憶される。また、デバイス設定情報なども格納される。
特に、本実施の形態においては、ＲＯＭ９内にＥＰＧ対応ＧＵＩプログラム９Ａが記憶される。システムコントローラ８は、このＥＰＧ対応ＧＵＩプログラム９Ａを実行することによって、後述するＧＵＩとしての番組ガイド表の表示、及び番組ガイド表に対する操作に応じた所要の動作を実現する。
なお、ＥＰＧ対応ＧＵＩプログラム９Ａは、例えば工場出荷時において、ＲＯＭ９に書き込むようにして記憶される。或いは、ＲＯＭ９を不揮発性メモリとして構成した上で、所定の記憶媒体に記憶されたＥＰＧ対応ＧＵＩプログラム９Ａを読み出して書き込みを行うことで、ＲＯＭ９に記憶させることもできる。
ＲＡＭ１０は、システムコントローラ８が各種制御処理を実行する場合の作業領域であり、システムコントローラ８が実行する処理に応じて、適宜、各種のデータが保持される。
【００２５】
また、本実施の形態のデジタル衛星放送受信機１に対しては、リモートコントローラ２０が付属されている。ユーザは、リモートコントローラ２０に対する操作を行うことで、デジタル衛星放送受信機１にて所望の動作が実行されるようにコントロールすることができる。
リモートコントローラ２０に対して操作が行われるのに応じては、その操作に応じた操作情報信号が、例えば赤外線信号や電波などにより無線の形態で送信出力される。このようにして送信された操作情報信号は、デジタル衛星放送受信機１側に備えられる受信部１１にて受信される。
受信部１１では、受信した操作情報信号をシステムコントローラ８が処理可能なコマンドに変換し、システムコントローラ８に対して転送する。システムコントローラ８では、入力したコマンドに応答した所要の制御処理を実行する。これにより、デジタル衛星放送受信機１では、ユーザ操作に応じた動作が行われることになる。
なお、デジタル衛星放送受信機１の本体に対して各種操作子を設け、この操作子に対する操作に対応するコマンドに応じて、システムコントローラ８が所要の制御処理を実行するように構成してもよい。
【００２６】
２．リモートコントローラ
図２は、上記図１に示したリモートコントローラの外観として、各種操作子が配置される操作パネル部位を示している。なお、この図においては、本実施の形態としての番組ガイド表に対する操作に必要な最小限の操作子のみを抜き出して示している。
先ずこの場合には、数字キー部１１が示されている。この数字キー部２１には、図示するようにして、操作子として、数字が割り当てられた所定数のキーが配置されている。この数字キー部２１としての各数字キーは、チャンネル番号を直接的に指定して選局する操作を行う場合に、チャンネル番号の数値を入力するためなどに用いられる。
また、本実施の形態においては、後述するようにして、番組ガイド表上での機能操作エリアＡ３に対する操作として、番組ガイド表上で閲覧するチャンネル番号を指定するために、その数値を入力する際にも用いられる。
【００２７】
上記数字キー部２１の下側には、上キー２２Ａ、下キー２２Ｂ、左キー２３Ｃ、右キー２２Ｄが、それぞれ上下左右の位置に対応するようにして配置されて設けられる。なお、これらのキーを一括していう場合には、上下左右キー２２と表記する。
【００２８】
上キー２２Ａ、下キー２２Ｂ、左キー２３Ｃ、右キー２２Ｄは、それぞれ上方向、下方向、左方向、右方向に対応する所定の指示を与える操作を行う際に用いられる。そして、本実施の形態では、これら上下左右キー２２を操作することによって、番組ガイド表上に表示されるカーソルを上下左右方向に移動させることが可能とされている。
また、例えば上下左右キー２２のうち、上キー２２Ａ、下キー２２Ｂについては、何らかの値の増減に対応した操作のために割り当てることも可能とされている。例えば、映像／音声等に関する所定の調整設定モードに移行したときに、その調整値を増減させるための操作に割り当てることができる。また、選局に際してチャンネル番号をインクリメント／デクリメントさせるようにして切り換える操作や、音声信号処理部６から出力される音量の調節に割り当てることも可能である。
【００２９】
また、上記した上下左右キー２２の中央には、決定キー２３が設けられる。決定キー２３は、各種操作の流れにおいて決定操作を必要とする際に、この決定操作を行うための操作子である。
【００３０】
３．番組ガイド表
続いて、本実施の形態のデジタル衛星放送受信機１によりモニタ装置４１の表示画面に表示出力される番組ガイド表について、その概要を説明しておくこととする。
図３は、番組ガイド表の基本的な表示態様例を示している。
この図に示す番組ガイド表１００を、先ず、縦軸（Ｙ軸）方向に沿って見た場合には、上側から順に日にち領域Ｙ１、時刻領域Ｙ２、番組表示領域Ｙ３に区分される。
また、上記番組表示領域Ｙ３は、横軸（Ｘ軸）方向に沿って、左から局ロゴ領域Ｘ１、チャンネル領域Ｘ２、番組タイトル領域Ｘ３に区分される。
【００３１】
局ロゴ領域Ｘ１には、右隣のチャンネル領域Ｘ２に表示されるチャンネルに対応する放送局の局ロゴとしての絵柄などが表示される。
チャンネル領域Ｘ２には、上下方向に沿った行ごとに放送局のチャンネル番号が表示される。このチャンネル領域Ｘ２におけるチャンネル番号の表示は、上から下の行にかけて、チャンネル番号としての値が大きくなっていくようにして配列される。なお、最も大きな値のチャンネル番号の次の行には、始めに戻るようにして、最も小さいチャンネル番号が表示されるようになっている。
【００３２】
番組タイトル領域Ｘ３には、チャンネル領域Ｘ２において表示されるチャンネルの行ごとに対応して、タイトルバーＡ１が横方向に連結されるようにして表示される。このタイトルバーＡ１の各々は１つの放送番組に対応しており、少なくとも、対応する番組のタイトルが表示される。なお、番組に関する内容や出演者などの付加的な情報が表示されるようにしてもよい。
また、この番組タイトル領域Ｘ３において、タイトルバーＡ１として表示される番組スケジュールとしては、先ず、日にち領域Ｙ１において表示される複数の日にち指定ボタンＢＴ１のうち、枠強調表示Ｗが配置される指定ボタンＢＴ１が示す日にちの内容が示されている。また、時刻領域Ｙ２が示す時間帯に対応した内容が示されている。
また、この図においては、番組タイトル領域Ｘ３内の１つのタイトルバーＡ１に対して、カーソルＣＲが配置表示されている。このカーソルＣＲが配置されたタイトルバーＡ１は、他のカーソルＣＲが配置されていないとされるタイトルバーＡ１とは異なる所定の設定色により表示される。つまり、タイトルバーＡ１そのもの表示色を特定の色とすることでカーソルＣＲが配置されることを表現している。
そして、このカーソルＣＲは、原則として、ユーザのリモートコントローラ２０における上下左右キー２２に対する操作に応じて、番組タイトル領域Ｘ３内において、タイトルバー間で移動可能とされている。
【００３３】
また、日にち領域Ｙ１には、図示するようにして、横方向に配列された複数の日にち指定ボタンＢＴ１が表示される。そして、ここでは、最も左側に「今日」と表示される指定ボタンＢＴ１を表示し、以降、これに続けて、今日より後の日にちが順次表示された指定ボタンＢＴ１を表示するようにしている。つまり、日にち領域Ｙ１においては、現在時点を含む日にちを起点として、以降の日にちが提示されるものである。
そして、前述もしたように、日にち領域Ｙ１においては、枠強調表示Ｗが行われた日にち指定ボタンＢＴ１により、番組表示領域Ｙ３内（番組タイトル領域Ｘ３）に表示される番組スケジュールがいつの日にちの内容であるのかを示すようにされている。
【００３４】
そのうえで、本実施の形態では、後述するようにして、ユーザがリモートコントローラ２０に対して所定操作を行うことで、日にち領域Ｙに対してカーソルＣＲを移動させたうえで、さらに日にち指定ボタンＢＴ１間でカーソルＣＲを移動させて選択指定を行うことができる。この操作により、選択指定された日にち指定ボタンＢＴ１が示す日にちに対応する内容の番組タイトル群が、番組タイトル領域Ｘ３に表示されるように、表示内容を切り換えることができる。
【００３５】
そして、本実施の形態では、時刻領域Ｙ２内に機能操作エリアＡ３を配置表示させるようにしている。
詳しいことは後述するが、本実施の形態では、ユーザによるリモートコントローラ２０に対する所定操作により、番組タイトル領域Ｘ３内においてタイトルバーＡ１間を移動するようにして表示されるカーソルＣＲを、この機能操作エリアＡ３に対して移動させることができる。
機能操作エリアＡ３は、カーソルＣＲが移動されたことでアクティブ（操作可能）となって、以降においては、ユーザによるリモートコントローラ２０に対する操作に応じて、機能操作エリアＡ３が有している機能を実行させることが可能になる。
また、番組ガイド表１００の右上には、現在日時を示す現在日時表示エリアＡ２が表示される。
【００３６】
上記図３の説明によると、番組ガイド表１００の構造概念としては、、横軸（Ｘ軸）方向が放送時間に対応し、縦軸（Ｙ軸）が放送局のチャンネル番号に対応していることになる。そして、このマトリクスに対応させるようにして、番組タイトル領域Ｘ３内のタイトルバーＡ１（番組タイトル）による番組スケジュールの表示が行われているということがいえる。
そこで、このような本実施の形態の番組ガイド表１００の構造概念と、基本的には、番組タイトル領域内で移動可能とされるカーソルＣＲの移動操作との対応について、図４により説明しておくこととする。
【００３７】
図４には、図３に示したのと同様の番組ガイド表１００が示されている。
上記もしたように、横軸（Ｘ軸）方向は、放送時間が対応する。そして、時刻領域Ｙ２において示される時刻が左から右にいくに従って進行していることから分かるように、番組タイトル領域Ｘ３においても、左から右にかけて時間が進行していくものとして扱われることになる。
【００３８】
そして、例えば番組タイトル領域Ｘ３内の或る１つのタイトルバーＡ１にカーソルＣＲが配置される状態で、Ｘ軸方向に沿ったカーソル移動操作として、右キー２２Ｄが操作されれば、カーソルＣＲは、同じチャンネルにおける１つ右隣のタイトルバーＡ１に移動する。つまり、同じチャンネルにおいて、時間的に１つ先の番組を選択することになる。同じく、左キーを操作することによっては、カーソルＣＲは、同じチャンネルにおける１つ左隣のタイトルバーＡ１に移動して、同じチャンネルにおける時間的に１つ前の番組が選択されることになる。
【００３９】
また、例えばカーソルＣＲが、或るチャンネルに対応するタイトルバーＡ１のうち、最も右にあるタイトルバーＡ１に位置している状態で、さらに右キー２２Ｄが操作されたとする。この場合には、番組タイトル領域Ｘ３内において、左から右方向への画面のスクロールが行われたうえで、同じチャンネル領域（行）内で時間的に１つ後となる番組のタイトルバーＡ１に対してカーソルＣＲを配置して表示するようにされる。また、このようにして時間的に先のタイトルバーＡ１をカーソルＣＲが示すのに対応して、時刻領域Ｙ２における時刻表示も先に進むようにして変化する。
同様にして、カーソルＣＲが、最も左にあるタイトルバーＡ１に配置されているときに、さらに左キー２２Ｃが操作されたのであれば、上記とは逆の表示が行われる。つまり、番組タイトル領域Ｘ３内において右から左方向への画面のスクロールを行ったうえで、同じチャンネル領域（行）内で時間的に１つ前となる番組のタイトルバーＡ１に対してカーソルＣＲを配置して表示する。また、これに応じて、時刻領域Ｙ２における時刻表示も遡るようにして変化する。
【００４０】
また、縦軸（Ｙ軸）方向はチャンネル番号に対応しているが、チャンネル領域Ｘ２においては、上から下の行にかけて、順次、受信可能なチャンネル番号が昇順で表示されている。つまり、縦軸（Ｙ軸）方向は、上から下に進むのに従って、チャンネル番号が増加していくようになっている。
【００４１】
そして、Ｙ軸方向に沿ったカーソル移動操作として、下キー２２Ｂが操作されたとすれば、カーソルＣＲは、現在のタイトルバーＡ１から、その１行下において隣接して配置されているタイトルバーＡ１に移動することになる。つまり、次に大きな数値のチャンネル番号における、同じ時刻に放送されている番組のタイトルバーＡ１に移動することになる。
また、例えばカーソルＣＲが、番組タイトル領域Ｘ３において、最下行のタイトルバーＡ１に位置している状態で、さらに下キー２２Ｂが操作された場合には、番組タイトル領域Ｘ３内において、例えば１行分の下から上方向への画面のスクロールが行われる。そして、このスクロールにより新たに最下行として表示された、次に大きな数値のチャンネル番号の行において、操作前にカーソルＣＲが配置されていたタイトルバーＡ１と同じ時刻に放送されている番組のタイトルバーＡ１にカーソルＣＲが移動することになる。
【００４２】
なお、例えば上記した状態から、さらに下キー２２Ｂを繰り返し操作してスクロールを行っていくと、最終的には、受信可能なチャンネル番号のうち、最大の数値のチャンネル番号の行内のタイトルバーＡ１にカーソルが表示されることになる。そして、さらに下キー２２Ｂを操作した場合、本実施の形態では、次に最下行に表示されるチャンネルは、受信可能なチャンネル番号のうち最小の数値のチャンネルに戻るようにされる。つまり、本実施の形態では、チャンネル番号は、最大値と最小値のチャンネルがつながることとなっており、番組タイトル領域Ｘ３内において、Ｙ軸方向におけるスクロールを続けることによっては、チャンネル番号が循環するようにして表示が切り換わるものである。
【００４３】
また、Ｙ軸方向に沿ったカーソル移動操作として、上キー２２Ａが操作された場合には、カーソルＣＲは、現在のタイトルバーＡ１から、その１行上において隣接して配置されているタイトルバーＡ１に移動し、次に小さな数値のチャンネル番号における、同じ時刻に放送されている番組を示すことになる。
【００４４】
そして、カーソルＣＲが、番組タイトル領域Ｘ３において、最上行のタイトルバーＡ１に位置している状態で、さらに上キー２２Ａが操作された場合であるが、本実施の形態では、番組タイトル領域Ｘ３内における画面のスクロールは行われない。
代わりに、Ｙ軸方向において、番組タイトル領域Ｘ３を含む番組表示領域の直上に在るとされる時刻領域Ｙ２において追加的に表示される機能操作エリアＡ３にカーソルが移動されることになる。そして、番組タイトル領域Ｘ３内における画面のスクロールは、この機能操作エリアＡ３において可能な操作機能の１つとして提供されることになる。なお、機能操作エリアＡ３については、次により詳しい説明を行うこととする。
【００４５】
これまでの説明から分かるように、本実施の形態の番組ガイド表の構造概念としては、Ｘ軸に放送時間をとり、Ｙ軸にチャンネル番号を対応させたマトリクス的な構造を有しているといえる。
そしてこれに対応するカーソル移動の基本概念として、Ｘ軸方向に沿ったカーソル移動操作（上キー２２Ａ，下キー２２Ｂの操作）によっては、放送時間に従って番組（タイトルバーＡ１）を順次選択することになる。これに対して、Ｙ軸方向に沿ったカーソル移動操作（左キー２２Ｃ，右キー２２Ｄの操作）によっては、チャンネル番号を順次選択することになる。
【００４６】
４．機能操作エリアを使用するための操作手順
続いては、これまでの説明をふまえて、本実施の形態の番組ガイド表１００にに対する操作として、機能操作エリアＡ３を使用するための操作手順について、図５〜図８を参照して説明を行うこととする。
【００４７】
ここで先ず、図５（ａ）に示すようにして番組ガイド表１００が表示されている状態にあるとする。この図においては、カーソルＣＲは、番組タイトル領域Ｘ３内においてほぼ中央に表示されているタイトルバーＡ１に配置されている。
そして、この図に示す状態から、ユーザが上キー２２Ａを所要回数操作したとする。この操作に応じて、カーソルＣＲは、縦軸（Ｙ軸）方向に沿って、順次、１行ずつ上のタイトルバーＡ１に移動していくことになる。つまり、次に小さな数値のチャンネル番号における、同じ時刻に放送されている番組のタイトルバーＡ１に移動していくようにされる。
そして、このようにして操作が行われた結果として、図５（ｂ）において矢印Ａによる移動軌跡として示すようにして、カーソルＣＲが、番組タイトル領域Ｘ３における最上行に在るタイトルバーＡ１にまで移動したとする。
【００４８】
例えば、従来においては、図５（ｂ）に示すカーソルＣＲの位置状態のもとで、ユーザによってさらに上キー２２Ａが操作された場合には、前述もしたように、番組表示領域Ｙ３について上から下方向への１行分のスクロールが行われたうえで、カーソルＣＲが、次に小さな数値のチャンネル番号におけるタイトルバーＡ１に移動するようにされていた。
これに対して、本実施の形態では、図５（ｂ）に示すカーソルＣＲの位置状態の下で、さらに上キー２２Ａに対する操作が行われた場合には、次のようになる。つまり、図５（ｃ）において矢印Ｂとしての移動軌跡により示すように、カーソルＣＲは、番組表示領域Ｙ３を越えるようにして、その直ぐ上に位置する時刻領域Ｙ２内の機能操作エリアＡ３内の所定位置に対して移動するようにされる。
なお、本実施の形態においては、番組表示領域Ｙ３における最上行における何れのタイトルバーＡ１にカーソルＣＲが位置している状態であっても、上キー２２Ａが操作された場合には、カーソルＣＲは、機能操作エリアＡ３内に移動するようにされている。
また、上記のようにして、番組表示領域Ｙ３から機能操作エリアＡ３に対してカーソルＣＲが移動すると、次に説明する機能操作エリアＡ３はアクティブ表示に切り換わるようになっている。つまり、機能操作エリアＡ３内のボタンや入力ボックスが、上記各ボタンや非アクティブ状態を示す所定色から、アクティブ状態を示す所定の強調色に変化するようにされる。
【００４９】
図６は、上記図５（ｃ）に示したようにして、カーソルＣＲが配置されたときの機能操作エリアＡ３のみを抜き出して示している。
先ず、図６（ａ）に示されるようにして、本実施の形態の機能操作エリアＡ３としては、中央に上方向スクロールボタンＡ１１が配置され、さらにその左右に対して、それぞれチャンネル指定入力ボックスＡ１２、日にち領域移動ボタンＡ１３が配置される。
そして、この図６（ａ）は、図５（ｂ）に示す状態で上キー２２Ａが操作されたのに応じて最初にカーソルＣＲが機能操作エリアＡ３に移動配置されたときの表示状態を示している。このときには、図示するようにして、カーソルＣＲは、上方向スクロールボタンＡ１１上に配置される状態となっている。また、このときには、前述したように、上方向スクロールボタンＡ１１、チャンネル指定入力ボックスＡ１２、日にち領域移動ボタンＡ１３について、アクティブ状態にあることを示す色による表示が行われている。
【００５０】
例えば、この図６（ａ）に示す状態では、上方向スクロールボタンＡ１１上にカーソルが配置されているから、この上方向スクロールボタンＡ１１が操作可能とされている状態にある。
そして、例えばユーザは、この図６（ａ）に示す状態のもとで、上キー２２Ａを操作することができる。この操作に応じては、番組表示領域Ｙ３について上から下方向への１行分のスクロールが行われ、最上行には、新たに、次に小さな数値のチャンネル番号に対応する局ロゴ、チャンネル番号、及び放送時間に対応して横方向に配置されるタイトルバーＡ１が表示されることになる。
【００５１】
つまり、上方向スクロールボタンＡ１１は、番組表示領域Ｙ３について上から下方向へのスクロールを行わせるために設けられているものである。
本実施の形態の場合、前述もしたように、番組表示領域Ｙ３における最上行の何れかのタイトルバーＡ１にカーソルＣＲが位置している状態で、上キー２２Ａが操作された場合には、カーソルＣＲは、機能操作エリアＡ３内に移動することとなっている。従って、従来のようにして、最上行のタイトルバーＡ１にカーソルＣＲを位置させた状態で上キー操作を行って、番組表示領域Ｙ３を上から下方向にスクロールさせることはできない。
そこで、本実施の形態としては、機能操作エリアＡ３内に上方向スクロールボタンＡ１１を設けることで、番組表示領域Ｙ３を上から下方向にスクロールさせることができるようにしているものである。
そして、番組表示領域Ｙ３から機能操作エリアＡ３に対してカーソルＣＲが移動されたときには、先ず、この上方向スクロールボタンＡ１１に対してカーソルが配置されるようにしている。これにより、上キー２２Ａを操作して機能操作エリアＡ３に対してカーソルを移動させたとしても、さらに続けて上キー２２Ａを操作すれば、先ずは、番組表示領域Ｙ３を上から下方向にスクロールさせられることげできる。つまり、機能操作エリアＡ３においても、先ずは、従来とほぼ同等のスクロール操作が行われるようにして、操作性を損なわないように配慮しているものである。
【００５２】
そして、例えば図６（ａ）に示す状態において、左キー２２Ｃが操作された場合には、カーソルＣＲは、図６（ｂ）に示すようにして、上方向スクロールボタンＡ１１の左隣に配置されるチャンネル指定入力ボックスＡ１２に対して移動する。
また、図６（ａ）に示す状態から右キー２２Ｄが操作された場合には、カーソルＣＲは、図６（ｃ）に示すようにして、上方向スクロールボタンＡ１１の右隣に配置される日にち領域移動ボタンＡ１３に対して移動する。
【００５３】
先ず、図６（ｂ）に示すようにして、カーソルＣＲをチャンネル指定入力ボックスＡ１２に対して移動させた場合には、このチャンネル指定入力ボックスＡ１２に対する操作が可能となる。この操作手順例を図７に示す。
先ず、最初にチャンネル指定入力ボックスＡ１２にカーソルＣＲが移動されたときには、チャンネル指定入力ボックスＡ１２には、例えば図７（ａ）に示すようにして、［−−−］と表示されている状態にある。これは、指定チャンネルの数値入力が未だ行われていないことを示している。
【００５４】
ユーザは、この図７（ａ）に示すチャンネル指定入力ボックスＡ１２に対して、例えばリモートコントローラ２０に備えられる数字キー部２１の数字キーを操作して、自分が参照したいとするチャンネル番号を、数値として入力することで指定することができる。なお、本実施の形態としては、デジタル衛星放送であることに対応して３桁のチャンネル番号の数値を入力することとされている。ここでは、図７（ｂ）に示すようにして、チャンネル番号［１４１］の数値が入力されたこととする。
ユーザは、自身が入力したチャンネル番号の数値に誤りがないか確認した上で、決定操作を行うようにされる。この決定操作は、リモートコントローラ２０に備えられる決定キー２３を１回押圧操作するようにされる。
そして、この決定操作に応じて、番組ガイド表１００における番組表示領域Ｙ３は、図７（ｃ）に示すようにして表示内容が変更される。
【００５５】
図７（ｃ）に示す番組ガイド表１００では、チャンネル領域Ｙ２において、図７（ｂ）に示すようにして入力指定されたチャンネル番号を基準チャネルとしたうえで、この基準チャンネルをＹ軸方向においてほぼ中央となる行位置に表示させる。従って、チャンネル領域Ｙ２においては、この基準のチャンネル番号を起点として、このチャンネル番号から順次小さくなっていくチャンネル番号を上方向の行ごとに表示させ、同様に、このチャンネル番号から順次大きくなっていくチャンネル番号を下方向の行ごとに表示させることになる。そして、番組タイトル領域Ｘ３の各行において、これらのチャンネル番号と、現在時刻領域Ｙ２が示す時間帯に対応した番組を示すタイトルバーＡ１を表示させることになる。
【００５６】
また、決定操作前には図７（ｂ）示したようにチャンネル指定入力ボックスＡ１２に配置されていたカーソルＣＲは、番組表示領域Ｙ３内において、基準チャンネルの行におけるタイトルバーＡ１に自動的に移動するようになっている。
このとき、基準チャンネルの行において、どのタイトルバーＡ１にカーソルＣＲを移動させるのかについては、例えば次のようにして決定される。つまり、先に図５（ｂ）に示したようにして、カーソルＣＲが機能操作エリアＡ３に対して移動される直前の、最上行におけるタイトルバーＡ１が占有していた時間帯内において、所定規則に従って設定した時刻を含む時間帯のタイトルバーＡ１にカーソルＣＲを配置させるようにする。そして、上記した規則としては、例えば先のタイトルバーＡ１が占有していた時間帯における開始時刻（又は終了時刻）、又はちょうど中間の時刻とすることが考えられる。また、例えば日にち領域Ｙ１及び時刻領域Ｙ２により示される現在有効な日時が現在時刻を含んでいる場合には、現在時刻に対応させることも考えられる。
【００５７】
なお、チャンネル指定入力ボックスＡ１２に入力指定されたチャンネル番号と同じチャンネル番号が実際に存在しなかった場合には、入力指定されたチャンネル番号に最も近いとされるチャンネル番号を基準として、Ｙ軸方向においてほぼ中央となる行位置に表示させることとしている。
【００５８】
また、先に図６（ｃ）に示したようにして、カーソルＣＲを日にち領域移動ボタンＡ１３に対して移動させることによっては、この日にち領域移動ボタンＡ１３に対する操作が可能となる。この操作手順例を図８に示す。
日にち領域移動ボタンＡ１３は、例えば図６（ｃ）にも示したようにして、「日にちへ」という文字が表記されたボタンとされている。この日にち領域移動ボタンＡ１３は、日にち領域Ｙ１に対してさらにカーソルＣＲを移動させるためのボタンとされる。ユーザは、日にち領域Ｙ１に対してカーソルＣＲを移動させたいと思った場合には、この日にち領域移動ボタンＡ１３に対する操作として、リモートコントローラ２０の決定キー２３に対する押圧操作を１回行うようにされる。
【００５９】
この決定キー操作に応じて、カーソルＣＲは、例えば図８（ａ）に示すようにして、日にち領域Ｙ１に複数配列される日にち指定ボタンＢＴ１の何れかに移動する。ここでは枠強調表示Ｗが行われていた日にち指定ボタンＢＴ１に対してカーソルＣＲが移動されることとなっている。つまり、それまでにおいて、番組表示エリアＹ３に表示されていた番組スケジュールの日にちに対応する日にち領域移動ボタンＡ１３に対して、先ず、カーソルＣＲが移動されるものである。
図８（ａ）の場合は、これまで現在時刻に対応した日の番組スケジュールを番組表示エリアＹ３に表示させていたものとされる。このため、図８（ａ）においては、「今日」と表記された日にち指定ボタンＢＴ１に枠強調表示Ｗが施されていると共に、ここにカーソルＣＲが配置されているものである。
なお、このようにして、カーソルＣＲが、機能操作エリアＡ３から日にち領域Ｙ１に移動されることで、これまでアクティブ表示されていた機能操作エリアＡ３は、非アクティブを示す表示に切り換わる。
【００６０】
そして、上記図８（ａ）に示すようにして、日にち領域Ｙ１にカーソルＣＲを移動させた後は、ユーザは、リモートコントローラ２０の左キー２２Ｃ又は右キー２２Ｄを操作することによって、日にち領域Ｙ１に配列されている日にち指定ボタンＢＴ１の間でカーソルＣＲを移動させることができるようにされている。
【００６１】
例えば図８（ａ）に示す状態から右キー２２Ｄを２回押圧操作すると、カーソルＣＲは、先ず、「今日」と表記された右に位置する、「１２日（日）」と日にちが表記された日にち指定ボタンＢＴ１に移動し、さらに、図８（ｂ）に示すようにして、「１２日（日）」の日にち指定ボタンＢＴ１の右に位置する、「１３日（月）」の日にち指定ボタンＢＴ１に移動した状態が得られることになる。
また、上記のようにして、日にち領域Ｙ１においてカーソルが移動されるのに伴っては、枠強調表示Ｗも連動するようにして移動するようにされる。
従って、図８（ｂ）に示すようにして、「１３日（月）」の日にち指定ボタンＢＴ１にカーソルＣＲ（及び枠強調表示Ｗ）を移動させた状態では、番組表領域Ｙ３には、このカーソルＣＲが配置された日にち指定ボタンＢＴ１が示す「１３日、月曜日」の番組スケジュールが表示されることになる。
なお、この際におけるチャンネル領域Ｘ２における各行のチャンネル番号は、図８（ａ）に示したように、最初にカーソルＣＲが日にち領域Ｙ１に移動したときの表示内容が維持される。また、時刻領域Ｙ２が示す放送時刻も同様である。
【００６２】
そして、例えば上記図８（ｂ）に示すようにして、日にち領域Ｙ１における何れかの日にち指定ボタンＢＴ１にカーソルＣＲが配置されている状態のもとで、ユーザが、下キー２２Ｂに対する操作を行った場合には、図８（ｃ）に示すようにして、カーソルＣＲが移動する。
つまり、カーソルＣＲは、番組タイトル領域Ｘ３における最上行に位置するタイトルバーＡ１に移動するようにされる。このとき、日にち領域Ｙ１においては、先の図８（ｂ）においてカーソルＣＲにより選択されていた「１３日（月）」の日にち指定ボタンＢＴ１に対して枠強調表示Ｗが行われている状態にある。従って、このときに番組表示領域Ｙ３に表示されているのは、「１３日／月曜日」の番組スケジュールとなっているものである。
なお、この図８（ｂ）から図８（ｃ）に示す遷移は、下キー２２Ｂに対する操作以外に、決定キー２３を操作した場合にも得られるものとされる。
【００６３】
このようにしてユーザは、先ず、図８（ａ）に示した状態から、左キー２２Ｃ又は右キー２２Ｄを操作して、図８（ｂ）に例示したように、日にち指定ボタンＢＴ１のうちから任意のボタンを選択することで、自分が閲覧したい番組スケジュールの日にちを選択することができる。そして、この後において、下キー２２Ｂに対する操作を行うことで、選択した日にちの番組スケジュールが表示された番組タイトル領域Ｘ３にカーソルＣＲを戻して、再び、番組ごとのタイトルバーＡ１間で移動させる操作を行うことができるものである。
【００６４】
なお、例えば図６（ａ）に示したようにして、上方向スクロールボタンＡ１１上にカーソルＣＲが配置された状態の下で、下キー２２Ｂが操作された場合にも、カーソルＣＲは、番組タイトル領域Ｘ３の最上行のタイトルバーＡ１に戻るようにして移動する。
また、同様にして、図６（ｂ）（ｃ）に示したようにして、チャンネル指定入力ボックスＡ１２又は日にち領域移動ボタンＡ１３上にカーソルＣＲが配置された状態の下で、下キー２２Ｂが操作された場合にも、カーソルＣＲは、番組タイトル領域Ｘ３の最上行のタイトルバーＡ１に移動する。
これらの場合においては、カーソルＣＲは、番組タイトル領域Ｘ３の最上行において、機能操作エリアＡ３に対して移動される前にカーソルＣＲが配置されていたタイトルバーＡ１に戻るようにされる。また、これと共に、これまでアクティブ表示されていた機能操作エリアＡ３は、非アクティブを示す表示に切り換わる。
【００６５】
ところで、図６（ｂ）（ｃ）に示したように、チャンネル指定入力ボックスＡ１２又は日にち領域移動ボタンＡ１３上にカーソルＣＲが配置された状態の下で、上キー２２Ａが操作された場合には、この操作を無効とすることも考えられる。しかしながら、本実施の形態では、この操作は、ユーザが番組表示領域Ｙ３を上方向から下方向にスクロールさせることを目的とした操作であると扱うようにされる。
そこで、このような操作が行われた場合には、先ず、チャンネル指定入力ボックスＡ１２又は日にち領域移動ボタンＡ１３上に配置されていたカーソルＣＲを、上方向スクロールボタンＡ１１に対して移動させ、以降における上キー２２Ａ操作によって、番組表示領域Ｙ３を上方向から下方向にスクロールさせることができるようにする。
【００６６】
上記図５〜図８による説明から分かるように、本実施の形態では、機能操作エリアＡ３に対する操作として、チャンネル指定入力ボックスＡ１２を対象として操作を行うことで、指定したチャンネル番号へジャンプするようにして番組表領域Ｙ３の表示内容を切り換えることが可能とされている。
また、日にち領域移動ボタンＡ１３を対象として操作を行って日にち領域Ｙ１にカーソルＣＲをさらに移動させることで、この日にち領域Ｙ１における日にち指定ボタンＢＴ１間のカーソル移動操作で以て、指定した日にちへジャンプするようにして番組表領域Ｙ３の表示内容を切り換えることができる。
【００６７】
つまり、本実施の形態では、機能操作エリアＡ３に設けられたチャンネル指定入力ボックスＡ１２又は日にち領域移動ボタンＡ１３に対する操作によって、ユーザが目的とする番組スケジュールの情報を、チャンネル又は日にちを基準として、即座に切り換えることが可能とされているものである。
【００６８】
例えば従来においては、番組タイトル領域Ｘ３内に現在表示されている番組スケジュールから離れたチャンネル又は日にちに移動するためには、例えば番組タイトル領域Ｘ３内におけるカーソル移動操作により画面のスクロールを継続させていた。これに対して、本実施の形態では、スクロールを継続させる操作を行う必要はないものであり、それだけ、番組ガイド表を閲覧するのにあたっての操作性が向上されることになる。
【００６９】
これに対して本実施の形態では、番組タイトル領域Ｘ３の最上行にカーソルＣＲが位置している状態にあり、かつ、上キー２２Ａが操作されるという条件が満たされた場合に限定して、カーソルＣＲを番組タイトル領域Ｘ３の外に移動させて、機能操作エリアＡ３内に配置するようにしている。
【００７０】
また、機能操作エリアＡ３内においてカーソルＣＲが配置されている状態から、下キー２２Ｂが操作されたのであれば、カーソルＣＲは、番組タイトル領域Ｘ３の最上行のタイトルバーＡ１に配置されるようにして、番組タイトル領域Ｘ３内に戻る。
【００７１】
つまり、本実施の形態では、上キー２２Ａ及び下キー２２Ｂのみの操作によって、番組タイトル領域Ｘ３と機能操作エリアＡ３間でのカーソル移動を行うことができるようになっている。これは、リモートコントローラ２０において、カーソルを特定方向へ移動させるために割り与えられたキー（上下左右キー２２の範囲内）に対する操作のみによって、番組タイトル領域Ｘ３と機能操作エリアＡ３との間でのカーソル移動が実現されていることを意味している。
例えば従来においても、カーソル移動操作には、上下左右キーが割り当てられていたが、これら上下左右キーによる操作は、番組タイトル領域Ｘ３内におけるカーソル移動のために占有されていた。このために、本実施の形態の機能操作エリアＡ３に相当する領域を設けたとしても、カーソルをその領域に対して移動させることができなかったものである。
また、本実施の形態のようにして、元からカーソル移動操作のために割り当てられたキー操作のみによって、番組タイトル領域Ｘ３と機能操作エリアＡ３間でのカーソル移動を可能としていることによっては、例えば機能操作エリアＡ３をアクティブとさせるために、リモートコントローラに操作子を追加する必要もない。
なお、本実施の形態では、番組タイトル領域Ｘ３の最上行にカーソルＣＲを配置させた状態で、画面を上から下にスクロールさせることはできなくなるが、これに関しては、前述もしたように、番組タイトル領域Ｘ３内の上方向スクロールボタンＡ１１に対する操作によって行われるように補償されているものである。
【００７２】
５．処理動作
続いては、本実施の形態のデジタル衛星放送受信機１において、上記図５〜図８により説明したような、機能操作エリアＡ３を使用した操作を実現可能とするために、システムコントローラ８が実行する処理動作について、図９〜図１３のフローチャートを参照して説明を行うこととする。
なお、以降説明する処理は、システムコントローラ８が、ＲＯＭ９に記憶されたＥＰＧ対応ＧＵＩプログラム９Ａに従って実行するものとされる。
【００７３】
先ず、システムコントローラ８は、図９に示すステップＳ１０１の処理として、番組タイトル領域Ｘ３内の最上行のタイトルバーＡ１にカーソルＣＲが配置されている状態の下で、上キー２２Ａに対する操作が行われたか否かについて判別している。
そして、現在の番組ガイド表１００の表示状態として、番組タイトル領域Ｘ３内の最上行のタイトルバーＡ１にカーソルＣＲを配置させていると共に、このときに、受信部１１から入力されたコマンドが、上キー２２Ｄの操作に対応するものであった場合には、上記ステップＳ１０１にて肯定結果が得られてステップＳ１０２に進むことになる。
【００７４】
ステップＳ１０２においては、機能操作エリアＡ３をアクティブ表示とするための処理を実行する。このステップＳ１０２におけるアクティブ表示のための画像生成処理は、図１２に示すものとなる。
つまり、先ずステップＳ４０１において、チャンネル指定入力エリアＡ１２の表示色を、アクティブ表示に対応した所定の強調色に変更する。同様にして、次のステップＳ４０２、Ｓ４０３において、上方向スクロールボタンＡ１１、日にち領域移動ボタンＡ１３を、それぞれアクティブ表示に対応した所定の強調色に変更する。
【００７５】
上記ステップＳ１０２の処理を実行した後は、図１のステップＳ１０３の処理として、上方向スクロールボタンＡ１１に対してカーソルＣＲを移動させるようにして配置表示させる。
これにより、先の図５（ｂ）から図５（ｃ）への遷移として説明した番組ガイド表１００の表示変化が得られることになる。
【００７６】
次のステップＳ１０４においては、左キー２２Ｃが操作されたか否かを判別している。また、ステップＳ１０４にて否定結果が得られた場合には、次のステップＳ１０５において右キー２２Ｄが操作されたか否かを判別する。
さらに、上記ステップＳ１０５において否定結果が得られた場合には、ステップＳ１０６において上キー２２Ａが操作されたか否かについて判別する。また、ステップＳ１０６において否定結果が得られた場合には、ステップＳ１０７において、下キー２２Ｂが操作されたか否かを判別する。
【００７７】
図９では、ステップＳ１０６において上キー２２Ａが操作されて肯定結果が得られた場合と、ステップＳ１０７において下キー２２Ｂが操作されて肯定結果が得られた場合の処理とが示されている。
先ず、ステップＳ１０６において肯定結果が得られた場合には、ステップＳ１０８の処理に進んで、現在、上方向スクロールボタンＡ１１に対してカーソルＣＲを配置表示させているか否かについて判別する。
そして、カーソルＣＲが、チャンネル指定入力ボックスＡ１２、又は日にち領域移動ボタンＡ１３の何れかに配置されているとして、ステップＳ１０８において否定結果が得られた場合には、ステップＳ１０９の処理に進む。ステップＳ１０９では、上方向スクロールボタンＡ１１に対してカーソルを移動させるようにして配置表示するための処理を実行する。
また、ステップＳ１０８において肯定結果が得られた場合には、ステップＳ１１０に進み、番組表示領域Ｙ３が上方向から下方向に対してスクロールされるようにして番組ガイド表１００としての画像を生成して出力する。そして、ステップＳ１０９の処理を実行すると、ステップＳ１０４の処理に戻る。
【００７８】
また、ステップＳ１０７において肯定結果が得られた場合には、ステップＳ１１１の処理に進む。ステップＳ１１１では、これまでアクティブ表示となっていた機能操作エリアＡ３について非アクティブ表示に切り換えるための処理を実行する。
このステップＳ１１１における非アクティブ表示切り換えのための処理は、例えば図１３に示すものとなる。
この図に示すようにして、先ずは、ステップＳ５０１の処理によって、チャンネル指定入力エリアＡ１２の表示色について、非アクティブを示す所定の非強調色に変更する。同様にして、次のステップＳ５０２、Ｓ５０３において、上方向スクロールボタンＡ１１、日にち領域移動ボタンＡ１３を、それぞれ非アクティブ表示に対応した所定の非強調色に変更する。
そして、上記ステップＳ１１１の処理を実行すると、続いては図１のステップＳ１１２の処理によって、番組タイトル領域Ｘ３内の最上行のタイトルバーにカーソルＣＲを配置表示させる。
つまり、機能操作エリアＡ３の何れかの機能操作子の領域に対してカーソルＣＲが位置している状態で、下キー２２Ｂの操作が行われたのに応じて、機能操作エリアＡ３を非アクティブにすると共に、カーソルＣＲを番組タイトル領域Ｘ３内に移動させるための動作が、上記ステップＳ１１１，Ｓ１１２の処理となる。
【００７９】
また、図９に示すステップＳ１０４において、左キー２２Ｃが操作された場合には、図１０に示す処理に進む。図１０においては、先ず、ステップＳ２０１の処理によって、チャンネル指定入力ボックスＡ１２にカーソルを移動させるようにして配置表示する。
【００８０】
次のステップＳ２０２においては、数字キー部２１を形成する数字キーによる数値入力操作が行われたか否かを判別する。そして、ここで肯定結果が得られた場合には、ステップＳ２０３において、数字キーにより入力された数値を、チャンネル指定入力ボックスＡ１２内の所要の桁の数値として表示させるための処理を実行して、再度ステップＳ２０２の判別処理に戻る。
【００８１】
ステップＳ２０２において否定結果が得られた場合には、ステップＳ２０４において、決定キー２３に対する操作が行われたか否かについて判別している。そして、肯定結果が得られた場合には、ステップＳ２０５以降の処理に進む。
【００８２】
ステップＳ２０５においては、チャンネル指定入力ボックスＡ１２において適正にチャンネル番号数値が入力されているか否かについて判別する。つまり、この場合には３桁全ての数値が入力済とされているか否かについて判別する。ここで否定結果が得られた場合には、ステップＳ２０２の処理に戻るようにされる。これにより、ユーザは、適正な３桁のチャネル番号数値を入力する操作をし直すことができる。
そして、ステップＳ２０５において肯定結果が得られたのであれば、ステップＳ２０６の処理に進む。
【００８３】
ステップＳ２０６の処理においては、先ず、これまでアクティブ表示となっていた機能操作エリアＡ３について非アクティブ表示に切り換えるための処理を実行する。このステップＳ２０６の処理は、先のステップＳ１１１の処理と同様に、図１３に示す処理が実行されればよい。
【００８４】
次のステップＳ２０７においては、入力された数値と同じチャンネル番号がある場合には、このチャンネル番号を基準とする。また、入力された数値と同じチャンネル番号が無いとされる場合には、入力された数値に最も近いとされるチャンネル番号を１つ選択し、このチャンネル番号を基準とする。
そして、上記のようにして選択した基準のチャンネル番号をもとに、番組表示領域Ｙ３に表示させる内容に対応したチャンネルリストを形成する。つまり、例えば図７（ｃ）に示すような、基準のチャンネル番号をほぼ中心に、その前後のチャンネルごとに番組スケジュールが対応したリスト情報を作成するものである。
【００８５】
そして、次のステップＳ２０８においては、上記ステップＳ２０７により作成したチャンネルリストを利用して、現在の日にち領域Ｙ１及び時刻領域Ｙ２により示されている、現在有効とされている日時に対応する番組タイトル領域Ｘ３の画像を生成する。そして、このようにして生成した画像を利用して、番組ガイド表１００の表示出力を行う。
【００８６】
さらに次のステップＳ２０９においては、先のステップＳ２０７において基準とされたチャンネル番号における、特定時刻を含むタイトルバーＡ１に対してカーソルＣＲが移動されるようにして配置表示させる。なお、この際において、上記特定時刻をどのようにして決定するのかは、先に図７（ｃ）において説明したとおりでよい。つまり、カーソルＣＲが機能操作エリアＡ３に対して移動される直前の、最上行におけるタイトルバーＡ１が占有していた時間帯内において、所定規則に従って設定した時刻を特定時刻とすればよい。
このようにして、ステップＳ２０６〜Ｓ２０９までの処理が実行されることで、例えば先に図７（ｃ）にて説明したように、チャンネル指定操作に応じて表示内容が変更された番組ガイド表１００が表示されることになる。
【００８７】
また、ステップＳ２０４において、決定キー２３に対する操作がないと判別された場合にはステップＳ２１０の処理により、下キー２２Ｂに対する操作が行われたか否かについて判別する。ここで肯定結果が得られた場合には、先に図９に示したステップＳ１１１の処理に移行する。
また、ステップＳ２１０において否定結果が得られた場合には、ステップＳ２１１において上キー２２Ａ又は右キー２２Ｄに対する操作が行われたか否かについての判別が行われる。この上キー２２Ａ又は右キー２２Ｄに対する操作は、チャネル指定入力ボックスＡ１２の右隣に位置する上方向スクロールボタンＡ１１に対して、カーソルを移動させるための操作であるから、ステップＳ２１１にて肯定結果が得られた場合には、図９に示したステップＳ１０８→ステップＳ１０９の処理を経て、ステップＳ１０４の処理に移行することになる。
【００８８】
また、図９に示すステップＳ１０５において、右キー２２Ｃが操作された場合には、図１１に示す処理に進む。図１１においては、先ず、ステップＳ３０１の処理によって、日にち領域移動ボタンＡ１３に対してカーソルを移動させるようにして配置表示する。
次のステップＳ３０２においては、決定キー２３に対する操作が行われたか否かについて判別する。ここで、肯定結果が得られた場合には、ステップＳ３０５以降の処理に進む。
【００８９】
ステップＳ３０５においては、先ず、機能操作エリアＡ３を非アクティブ表示とするための処理を実行する。このステップＳ３０５としての処理も、図１３に示した処理が実行される。
次のステップＳ３０６においては、日にち領域Ｙ１に表示される日にち指定ボタンＢＴ１のうち、現在、番組表示領域Ｙ３に対して表示させている番組内容に対応しており、枠強調表示Ｗが行われている日にち指定ボタンＢＴ１に対してカーソルＣＲを移動させるようにして配置表示する。そして、ステップＳ３０７の以降の処理に進む。
【００９０】
ステップＳ３０７においては、左キー２２Ｃに対する操作が行われたか否かを判別する。そして、肯定結果が得られたのであれば、ステップＳ３０８において、１日前（左隣）の日にち指定ボタンＢＴ１に対してカーソルＣＲ（及び強調表示枠Ｗ）を移動させるようにして配置表示し、この後、ステップＳ３１１に進む。
また、上記ステップＳ３０７において左キー２２Ｃに対する操作が行われないとして否定結果が得られた場合にはステップＳ３０９において、右キー２２Ｄに対する操作が行われたか否かについて判別する。そして、肯定結果が得られたのであれば、ステップＳ３１０において、１日後ろ（右隣）の日にち指定ボタンＢＴ１に対してカーソルＣＲ（及び強調表示枠Ｗ）を移動させるようにして配置表示した後、ステップＳ３１１に進む。
【００９１】
なお、「今日」と表記された最も左の日にち指定ボタンＢＴ１に対してカーソルＣＲが配置された状態で、左キー２２Ｃに対する操作が行われても、これ以上前の日にち指定ボタンＢＴ１は無いので、カーソル移動をさせることはできない。従って、左キー２２Ｃに対する操作が行われたとしても、この場合に対応する先のステップＳ３０７の処理としては、肯定結果ではなく否定結果を取るようにされる。
同じく、最も右の日にち指定ボタンＢＴ１に対してカーソルＣＲが配置された状態で、右キー２２Ｄに対して操作が行われたとしても、ステップＳ３０９の処理としては否定結果を取るようにされる。
【００９２】
そして、ステップＳ３１１においては、例えば先ず、先のステップＳ３０８又はステップＳ３１０の処理によるカーソルＣＲの移動に応じて、番組タイトル領域Ｘ３としての表示内容を変更するための表示制御処理を実行する。
つまり、カーソルＣＲが移動配置された日にち指定ボタンＢＴ１が示す日にちと、現在の時刻領域Ｙ２により有効となっている時間帯とに対応する番組内容（タイトル）から成る番組タイトル領域Ｘ３としての画像を生成する。そして、この生成した画像を利用して、番組ガイド表１００の表示出力を行うものである。
このようなステップＳ３０７〜Ｓ３１１の処理によって、図８（ａ）→（ｂ）による遷移として説明したように、カーソルＣＲが日にち指定ボタンＢＴ１を移動するのに応じて、その移動された日にち指定ボタンＢＴ１が示す日にちの番組内容となるように、番組タイトル領域Ｘ３における表示が切り換えられていくことになる。
【００９３】
また、先のステップＳ３０９において右キー２２Ｄに対する操作が行われないとして否定結果が得られた場合には、ステップＳ３１２に進み、決定キー３１２、又は下キー２２Ｂに対する操作が行われたか否かについて判別する。ここで、肯定結果が得られた場合には、先に図９に示したステップＳ１１２の処理を実行する。これにより、図８（ｂ）→（ｃ）の遷移として説明したように、カーソルＣＲが、番組タイトル領域Ｘ３内の最上行のタイトルバーＡ１に移動するようにして、番組タイトル領域Ｘ３内に戻るようにされる。
【００９４】
また、先のステップＳ３０２において、決定キー２３に対する操作が行われないとして否定結果が得られた場合には、ステップＳ３０３の処理によって、下キー２２Ｂに対する操作が行われたか否かについて判別する。
この場合の下キー２２Ｂに対する操作は、機能操作エリアＡ３から番組タイトル領域Ｘ３内にカーソルＣＲを戻すようにして移動させるための操作である。そこで、ステップＳ３０３において肯定結果が得られた場合には、先に図９に示したステップＳ１１１の処理に移行するようにされる。これにより、カーソルＣＲは、番組タイトル領域Ｘ３内の最上行のタイトルバーＡ１に戻るようにして移動することになる。
【００９５】
また、上記ステップＳ３０３において否定結果が得られた場合には、ステップＳ３０４において、上キー２２Ａ又は左キー２２Ｃに対する操作が行われたか否かについて判別する。この場合の上キー２２Ａ又は左キー２２Ｃに対する操作は、上方向スクロールボタンＡ１１に対してカーソルを移動させるための操作である。そこで、ステップＳ３０４において肯定結果が得られた場合には、先に図９に示したステップＳ１０８→ステップＳ１０９の処理を実行してステップＳ１０４の処理に戻るようにされる。
【００９６】
なお、本発明としては、これまでに説明した実施の形態としての構成に限定されるものではない。例えば、上記実施の形態では、番組タイトル領域Ｘ３から、機能操作エリアＡ３に対して、カーソルＣＲを移動させるための条件として、「番組タイトル領域Ｘ３の最上行にカーソルＣＲが位置している状態の下で、上キー２２Ａに対する操作が行われること」としている。
しかしながら、この条件は、番組タイトル領域Ｘ３と機能操作エリアＡ３との位置関係などによって適宜変更されるべきものである。
例えば、機能操作エリアＡ３は、番組タイトル領域Ｘ３の下側に表示させておくこととした上で、カーソルＣＲを移動させるための条件としては、「番組タイトル領域Ｘ３の最下行にカーソルＣＲが位置している状態の下で、下キー２２Ｂに対する操作が行われること」とすることも考えられる。また、これに応じて、機能操作エリアＡ３に対する上下左右キー２２の操作に応じて行われるべき番組作成ガイド表１００上での動作なども適宜変更されるべきものである。
【００９７】
また、これまでの説明によると、本実施の形態の機能操作エリアＡ３は、番組ガイド表１００に対する操作機能として、従来における番組タイトル領域Ｘ３内に限定されていたカーソル移動操作の機能に対して、さらに何らかの操作機能を追加／拡張する機能を有する入力ボックスやボタンなどの機能操作子が設けられるべき操作対象領域であるということがいえる。
従って、機能操作エリアＡ３に対しては、上記実施の形態として示した上方向スクロールボタンＡ１１、チャンネル指定入力ボックスＡ１２、及び日にち領域移動ボタンＡ１３の他にも、ユーザが番組ガイド表１００を利用する際における操作性が向上されるような機能操作子が他にも設けられてよいものである。
【００９８】
また、上記実施の形態では、デジタル衛星放送受信機１が受信するデジタル衛星放送に重畳されるＥＰＧデータに基づいて表示するＧＵＩ画像である番組ガイド表を例に挙げているが、本発明としては、デジタル衛星放送以外の番組ガイド表を表示するようなシステムにも適用できる。つまり、本発明が適用される装置としては、デジタル衛星放送受信機以外の放送受信装置であってもよい。
さらには、本発明は放送受信装置以外の機器に適用されてよいものであり、従って番組ガイド表以外のＧＵＩにも適用できるものである。
つまり、特定の操作キーによって、ある特定の操作対象領域におけるカーソル移動のための操作が行われるように構成されていることで、その特定の操作対象領域内にカーソル移動操作が占有されてしまうようなＧＵＩ全般に対して適用できる。例えばパーソナルコンピュータ上で起動するアプリケーションソフトウェアとして、上下左右キーなどの操作によって特定の画面領域でカーソル移動をさせるＧＵＩを有するものにも適用することが可能である。
【００９９】
【発明の効果】
以上説明したように本発明は、カーソルが第１の操作対象領域内（番組タイトル領域Ｘ３）における特定領域内に位置しているとされる状態で、さらに特定の１方向に対するカーソル移動のための操作が行われた場合おいてのみ、カーソルを第２の操作対象領域（機能操作エリアＡ３）に移動させるようにしている。
つまり、本発明では、ＧＵＩ画像上においてカーソルが第１の操作対象領域内における特定領域内に位置しており、かつ、特定の１方向へのカーソル移動操作が行われたという一定条件が得られてさえいれば、ユーザによるカーソル移動操作に応じて、第１の操作対象領域から第２の操作対象領域に対してカーソルを移動させることとしている。
【０１００】
例えば従来においては、第１の操作対象領域内において、所定の１方向にカーソル移動をさせるための操作子（例えば上下左右キー）を割り与えた場合、この操作子に対する操作によっては、第１の操作対象領域内においてしかカーソルを移動させることができなかったものである。
これに対して、上記した本発明の構成によっては、上記した所定の１方向にカーソル移動をさせるための操作子に対する操作で以て、第１の操作対象領域から第２の操作対象領域に対してカーソルを移動させることが可能とされている。
【０１０１】
これにより、ユーザにとっては、これまでと同じカーソル移動のための操作子を用いながらも、第２の操作対象領域に対する操作が可能な状態を得ることが可能となるものである。つまり、ＧＵＩ画像に対する操作性がこれまでよりも向上されることとなる。
また、この場合には、第２の操作対象領域に対する操作を可能とする（アクティブとする）ための操作子を別途設ける必要もない。このため、例えばＧＵＩ操作のための操作装置（例えばリモートコントローラなど）については、いたずらに操作子が増えて、かえって操作性が複雑になってしまうという不利が生じることもない。
【図面の簡単な説明】
【図１】本発明の実施の形態としてのデジタル衛星放送受信機についての要部の構成を示すブロック図である。
【図２】本実施の形態のデジタル衛星放送受信機に付属するリモートコントローラの操作パネル面の構成例を示す平面図である。
【図３】本実施の形態のＧＵＩ画像である番組ガイド表の表示態様例を示す説明図である。
【図４】本実施の形態の番組ガイド表の構造概念とカーソル移動操作との対応を示す説明図である。
【図５】本実施の形態の番組ガイド表に表示される機能操作エリアをアクティブとするための操作手順例を示す説明図である。
【図６】機能操作エリア内におけるカーソル移動のための操作手順例を示す説明図である。
【図７】機能操作エリア内におけるチャンネル指定入力ボックスに対する操作手順例を示す説明図である。
【図８】機能操作エリア内における日にち領域移動ボタンに対する操作手順例を示す説明図である。
【図９】機能操作エリアに対する操作に対応する処理動作として、主に、上方向スクロールボタンに対する操作に応じた処理動作を示すフローチャートである。
【図１０】機能操作エリアに対する操作に対応する処理動作として、チャンネル指定入力ボックスに対する操作に応じた処理動作を示すフローチャートである。
【図１１】機能操作エリアに対する操作に対応する処理動作として、日にち領域移動ボタン及び日にち指定ボタンに対する操作に応じた処理動作を示すフローチャートである。
【図１２】機能操作エリアをアクティブ表示とするための処理動作を示すフローチャートである。
【図１３】機能操作エリアを非アクティブ表示とするための処理動作を示すフローチャートである。
【図１４】従来における番組ガイド表上でのカーソル移動操作を示す説明図である。
【符号の説明】
１　デジタル衛星放送受信機、２　チューナ部、３　番組情報抽出部、４　映像信号処理部、５　合成処理部、６　音声信号処理部、７　管面表示信号生成処理部、８　システムコントローラ、９　ＲＯＭ、９Ａ　ＥＰＧ対応ＧＵＩプログラム、１０　ＲＡＭ、１１　受信部、２０　リモートコントローラ、２１　数字キー部、２２Ａ　上キー、２２Ｂ　下キー、２２Ｃ　左キー、２２Ｄ　右キー、２３　決定キー、３０　パラボラアンテナ、４１　モニタ装置、４２　スピーカＹ１　日にち領域、Ｙ２　時刻領域、Ｙ３　番組表示領域、Ｘ１　局ロゴ領域、Ｘ２　チャンネル領域、Ｘ３　番組タイトル領域、Ａ１　タイトルバー、Ａ２　現在日時表示エリア、Ａ３　機能操作エリア、Ａ１１　上方向スクロールボタン、Ａ１２　チャンネル指定入力ボックス、Ａ１３　日にち領域移動ボタン、ＢＴ１　日にち指定ボタン、ＣＲ　カーソル、Ｗ　枠強調表示
【図１】
2004070408.tif 000003
【図２】
2004070408.tif 000004
【図３】
2004070408.tif 000005
【図４】
2004070408.tif 000006
【図５】
2004070408.tif 000007
【図６】
2004070408.tif 000008
【図７】
2004070408.tif 000009
【図８】
2004070408.tif 000010
【図９】
2004070408.tif 000011
【図１０】
2004070408.tif 000012
【図１１】
2004070408.tif 000013
【図１２】
2004070408.tif 000014
【図１３】
2004070408.tif 000015
【図１４】
2004070408.tif 000016